(57)【要約】【課題】  縦壁ＡＬＣパネルに埋設されたアンカー金具に螺着された取付金具を建築物の躯体に取着して縦壁を構成する場合に、定規アングルを使用せず、安価な施工で且つ精度良く容易に施工できる取付金具及び取付構造を提供【解決手段】  垂直部とこれに直交する水平部とから構成されるＡＬＣパネル取付金具であって、該垂直部の両側にはＡＬＣパネルと逆方向に向けて折り曲げた段差部を有し、該水平部には該垂直部の上端をＡＬＣパネル方向に折り曲げて形成されており、上段ＡＬＣパネルの下端小口を担持して該上段ＡＬＣパネルの自重を受けるように構成した自重受け用のＡＬＣパネル取付金具及び該垂直部の下部両側には自重受け用のＡＬＣパネル取付用金具の段差部に嵌合可能な突起部を具備し、前記水平部は前記垂直部ほぼ中央部からＺ（ゼット）字状に張り出した接続部を介してＡＬＣパネルと逆方向に向けて折曲げて形成された固定用のＡＬＣパネル取付金具とを採用した。【選択図】図４
2005194731.tif 000002
【特許請求の範囲】
【請求項１】
縦壁用ＡＬＣパネル裏面に当接する垂直部と、該垂直部に直交する水平部とから構成されるＡＬＣパネルの取付金具であって、前記垂直部は該垂直部の両側にＡＬＣパネルと逆方向に向けて折り曲げた段差部を備え、且つ、前記水平部は前記垂直部の上端をＡＬＣパネル方向に折り曲げて形成され、上段ＡＬＣパネルの下端小口を担持して該上段ＡＬＣパネルの自重を受けるように構成したことを特徴とする自重受け用のＡＬＣパネル取付金具。
【請求項２】
前記垂直部の中心線上には取付ボルトが貫通する長孔を有することを特徴とする請求項１記載の自重受け用のＡＬＣパネル取付金具。
【請求項３】
縦壁用ＡＬＣパネル裏面に当接する垂直部と、該垂直部に直交する水平部とから構成されるＡＬＣパネルの取付金具であって、前記垂直部の下部両側には前記自重受け用のＡＬＣパネル取付用金具の段差部に嵌合可能な突起部を具備し、且つ、前記水平部は前記垂直部ほぼ中央部からＺ（ゼット）字状に張り出した接続部を介してＡＬＣパネルと逆方向に向けて折曲げて形成されてなることを特徴とする固定用のＡＬＣパネル取付金具。
【請求項４】
前記垂直部の上端には取付ボルトが貫通する切り欠きを有することを特徴とする請求項３記載の固定用のＡＬＣパネル取付金具。
【請求項５】
下段に配置する縦壁ＡＬＣパネルの裏面上端には請求項１又は２記載の自重受け用のＡＬＣパネル取付金具の垂直部を当接し、且つ、取付ボルトを該ＡＬＣパネル取付金具の長孔を通して該下段に配置する縦壁ＡＬＣパネル内に埋設されたアンカー金具に螺着し、
次いで、上段に配置する縦壁ＡＬＣパネルの裏面下端には請求項３又は４記載の固定用のＡＬＣパネル取付金具の垂直部を当接し、且つ、取付ボルトを該ＡＬＣパネル取付金具の切り欠き部を通して該上段に配置する縦壁ＡＬＣパネル内に埋設されたアンカー金具に螺着し、
更には、請求項１又は２記載の自重受け用の取付用金具の垂直部下端両側に設けられた段差部が、請求項３又は４記載の固定用の取付金具の突起部に嵌合され、
そして、該下段に配置されるＡＬＣパネルと該上段に配置されるＡＬＣパネルの中間から張り出した前記取付用金具の水平部が、躯体へ直接固定されることを特徴とするＡＬＣパネルの取付構造。
【発明の詳細な説明】
【技術分野】
【０００１】
本発明は、ＡＬＣパネルなどを建築物の躯体に取り付けて、縦壁を構成する縦壁ＡＬＣパネルの取付構造、およびその取付構造に使用する取付金具に関するものである。
【背景技術】
【０００２】
従来、ＡＬＣパネルなどを建築物の躯体に取り付けて、縦壁を構成する縦壁ＡＬＣパネルの取付構造には、種々な取付構造がある。例えば、耐震性の取付構造の一種として縦壁ＡＬＣパネルが下端小口面の中心を支点として壁面に沿って揺動可能に取付けられた、いわゆるロッキング構造が提案されている（例えば、特許文献１参照。）。
そのロッキング構造を図面に基づいて説明する。図７は従来の縦壁ＡＬＣパネルの取付構造を示す一部破断斜視図である。図８は図１の線Ａ−Ａ´に沿った断面図である。
ロッキング構造では、縦壁ＡＬＣパネル３１には、その上下両端近くにアンカー金具３２が埋設されている。そして、下段の縦壁ＡＬＣパネル３１ａの裏面上端部には、その中心線上に断面が横Ｔ字状の自重受け金具３３が配置され、縦壁ＡＬＣパネル３１ａに前記自重受け金具３３の垂直部が取付ボルト３４で螺子止めされており、この自重受け金具３３の上方の垂直部が、躯体３５の梁上面に所望出幅で固着された定規アングル３６の屋外側垂直部に固着されている。
【０００３】
また、上段の縦壁ＡＬＣパネル３１ｂの裏面下端部には、その中心線状に板材が２段の段状に折り曲げられたイナズマプレート３７の一方の面が、ＡＬＣパネル３１ｂ内に埋設されたアンカー金具３２と固着されている。そして、この上段ＡＬＣパネル３１ｂの下端小口面が、前述の下段ＡＬＣパネル３１ａに螺着された自重受け金具３３の水平部に担持された状態で、前述のイナズマプレート３７の他方の面が、前記定規アングル３６の屋内側垂直部に固着されている。
この様なＡＬＣパネルの取付構造では、ＡＬＣパネル裏面の上下端部中心線上に螺着された、イナズマプレート３７や自重受け金具３３などの取付金具が躯体に固着された状態となっているので、躯体が地震などで揺動した場合には、縦壁ＡＬＣパネル３１は取付ボルト３４を支点として回動できるので、縦壁ＡＬＣパネル３１の損傷が防止でき、耐震性が優れているとされている。またアンカー金具３２が縦壁ＡＬＣパネル３１に埋設されているので外観にも優れ、更に乾式で施工できるので工期が短く済む利点もある。
【特許文献１】特開２００２−０８８９５８号公報
【発明の開示】
【発明が解決しようとする課題】
【０００４】
しかし上述の構造では、外壁面を揃えるために、例えばＬ６５×６５×６の定規アングル３６を躯体の梁全長に渡り所望の出幅で取付ける必要があるが、定規アングルの費用は非常に大きくコスト的に問題があった。
そこでこの発明は、縦壁ＡＬＣパネルに埋設されたアンカー金具に螺着された取付金具を建築物の躯体に取着して縦壁を構成する場合に、定規アングルを使用せず、安価な施工で且つ精度良く容易に施工できる取付金具及び取付構造を提供しようとするものである。
【課題を解決するための手段】
【０００５】
本発明の自重受け用のＡＬＣパネル取付金具の一つは、縦壁用ＡＬＣパネル裏面に当接する垂直部と、該垂直部に直交する水平部とから構成されるＡＬＣパネルの取付金具であって、前記垂直部は該垂直部の両側にＡＬＣパネルと逆方向に向けて折り曲げた段差部を備え、且つ、前記水平部は前記垂直部の上端をＡＬＣパネル方向に折り曲げて形成され、上段ＡＬＣパネルの下端小口を担持して該上段ＡＬＣパネルの自重を受けるように構成したことを特徴とするものである。
また、本発明の他の自重受け用のＡＬＣパネル取付金具は、更に上記垂直部の中心線上には取付ボルトが貫通する長孔を有することを特徴とするものである。
【０００６】
更に、本発明の固定用のＡＬＣパネル取付金具の一つは、縦壁用ＡＬＣパネル裏面に当接する垂直部と、該垂直部に直交する水平部とから構成されるＡＬＣパネルの取付金具であって、前記垂直部の下部両側には前記自重受け用のＡＬＣパネル取付用金具の段差部に嵌合可能な突起部を具備し、且つ、前記水平部は前記垂直部ほぼ中央部からＺ（ゼット）字状に張り出した接続部を介してＡＬＣパネルと逆方向に向けて折曲げて形成されてなることを特徴とするものである。
また、本発明の他の固定用のＡＬＣパネル取付金具は、更に上記垂直部の上端には取付ボルトが貫通する切り欠きを有することを特徴とするものである。
【０００７】
そして、本発明のＡＬＣパネルの取付構造は、下段に配置する縦壁ＡＬＣパネルの裏面上端には請求項１又は２記載の自重受け用のＡＬＣパネル取付金具の垂直部を当接し、且つ、取付ボルトを該ＡＬＣパネル取付金具の長孔を通して該下段に配置する縦壁ＡＬＣパネル内に埋設されたアンカー金具に螺着し、
次いで、上段に配置する縦壁ＡＬＣパネルの裏面下端には請求項３又は４記載の固定用のＡＬＣパネル取付金具の垂直部を当接し、且つ、取付ボルトを該ＡＬＣパネル取付金具の切り欠き部を通して該上段に配置する縦壁ＡＬＣパネル内に埋設されたアンカー金具に螺着し、
更には、請求項１又は２記載の自重受け用の取付用金具の垂直部下端両側に設けられた段差部が、請求項３又は４記載の固定用の取付金具の突起部に嵌合され、
そして、該下段に配置されるＡＬＣパネルと該上段に配置されるＡＬＣパネルの中間から張り出した前記取付用金具の水平部が、躯体へ直接固定されることを特徴とするものである。
【０００８】
本発明の特徴は、縦壁ＡＬＣパネルの建築物の躯体への取付けにおいて、定規アングルを省略し取付金具により建築物の躯体へ直接固着することを可能にした点にある。第１の発明は、自重受け部となる水平部とＡＬＣパネル裏面に当接しアンカー金具と螺着する垂直部からなり、さらにはその垂直部に上段ＡＬＣパネルの下端に取付けられた取付金具が係止できる、反パネル方向への段差部を兼ね備えた自重受け用のＡＬＣパネル取付金具であって、このＡＬＣパネル取付金具は縦壁ＡＬＣパネルの面外方向及び面内方向に変位させない様に、上段に配置する縦壁ＡＬＣパネルの下端に配置したＡＬＣパネル取付金具に機械的に固定される。このような自重受け用のＡＬＣパネル取付金具により、縦壁ＡＬＣパネルの荷重を支持し、順次縦壁の上方へと施工してゆく。
また、第２の発明は上段に配置する縦壁ＡＬＣパネルの下端に取付けるＡＬＣパネル取付金具であって、建築物の躯体に固定する機能を担うものである。すなわち、この固定用ＡＬＣパネル取付金具は、躯体との接合部となる水平部とＡＬＣパネル裏面に当接しアンカー金具と螺着する垂直部からなっている。該垂直部の上端には、上段に配置する縦壁ＡＬＣパネル下端に埋め込まれたアンカー金具を取付ボルトで螺着して係止するための切り欠き部を有し、該垂直部の下端の両側には前記自重受け用のＡＬＣパネル取付金具に嵌合可能な突起部を有し、さらには前記垂直部のほぼ中央から反パネル側に折り曲げられた水平部を有している。この固定用ＡＬＣパネル取付金具を使用すれば、直接躯体に固着可能なように溶接長さを確保するための水平部が設けられているので、縦壁ＡＬＣパネルの面外方向及び面内方向の位置調整を行ったのち、定規アングル無しで縦壁ＡＬＣパネルを躯体に固着することができる。このため大幅にコストの削減が可能になる。
【発明の効果】
【０００９】
本発明の金具は構造が簡単なので比較的安価に製造することができ、この金具を使用してＡＬＣパネルを建築物の躯体に取付ければ、従来使用していた相当数の定規アングルを省略することができるので、大きなコストダウンにつながる。さらに、施工が容易であり、乾式で施工できるので工期が短縮される、縦壁ＡＬＣパネルはロッキング可能なので耐震性にも優れている。
【発明を実施するための最良の形態】
【００１０】
以下、本発明の具体例を図面によって説明する。
図１は本発明の自重受け用のＡＬＣパネル取付金具１の外観図である。図１に示す自重受け用の縦壁ＡＬＣパネル取付金具１は、断面がＬ字状で縦壁ＡＬＣパネルの裏面に取着される垂直部３と、この垂直部３の上端近辺で直角に折り曲げられた水平部４から形成されている。垂直部３のほぼ中央には、別図に縦壁示すＡＬＣパネルに埋設されたアンカー金具に取付ボルトで螺着するための長手方向に伸びる長孔５が穿孔されている。また、垂直部３のこの長孔５の幅方向の両側には、反パネル方向に向けて段差部６，６がプレス加工されている。段差部６は、縦壁ＡＬＣパネルに取り付けた際に、縦壁ＡＬＣパネルとの間に隙間を形成し、後述の固定用の取付金具の突起部を差し込んで自重受け用のＡＬＣパネル取付金具を固定する機能を有している。
【００１１】
図２は本発明の固定用のＡＬＣパネル取付金具２の外観図である。図２に示す固定用のＡＬＣパネル取付金具は、断面が変則的なＬ字状で、縦壁ＡＬＣパネルの裏面に取着される垂直部７と、この垂直部７の中央近辺から反パネル方向に直角に折り曲げられた水平部８から形成されている。垂直部７と水平部８は垂直部７から断面がほぼＺ字型の接続部９によって繋がれており、水平部８の一端面は垂直部７からやや離して形成されている。
そして垂直部７の上部中央には長手方向の切欠き１１があり、別図に示す縦壁ＡＬＣパネルに埋設されたアンカー金具に取付ボルトで螺着できるように構成されている。また、垂直部７の下方両側には、前記垂直部７と同面の突起部１２が延びている。突起部１２は、縦壁ＡＬＣパネルに取付けた際に、縦壁ＡＬＣパネルと前述の自重受け用のＡＬＣパネル取付金具１の段差部６との間に生じる隙間に差し込んで、自重受け用のＡＬＣパネル取付用金具１を固定する機能を有している。
【００１２】
本発明のＡＬＣパネルの取付構造においては、上記の自重受け用のＡＬＣパネル取付金具１と固定用のＡＬＣパネル取付金具２を組合わせて使用する。
次に、上記の自重受け用のＡＬＣパネル取付金具１と固定用のＡＬＣパネル取付金具２の組み合わせ方を図３及び図４を用いて説明する。図３及び図４ではＡＬＣパネルを取り付けないで金具のみの組合わせ方を示している。
先ず図３のように、自重受け用のＡＬＣパネル取付金具１を下方から、固定用のＡＬＣパネル取付金具２を上方から中心線を揃えて近づけ、固定用のＡＬＣパネル取付金具２の突起部１２を自重受け用のＡＬＣパネル取付金具１の段差部６の裏側に挿入する。
自重受け用のＡＬＣパネル取付金具１を固定用のＡＬＣパネル取付金具２にきっちり嵌合させると、
図４に示すように、固定用のＡＬＣパネル取付金具２のＺ字型の接続部９が自重受け用のＡＬＣパネル取付金具１の垂直部３と密着して、両者はしっかりと嵌合固定される。その結果、自重受け用のＡＬＣパネル金具１の水平部４に掛かったＡＬＣパネル荷重は、固定用のＡＬＣパネル取付金具２に支持され、固定用のＡＬＣパネル取付金具２の水平部８を介して建築物の躯体に固定される。
【００１３】
これらの自重受け用のＡＬＣパネル取付金具１及び固定用のＡＬＣパネル取付金具２を使用して縦壁ＡＬＣパネルを建築物の躯体に取付けるには、先ず図５に示すように、下段の縦壁ＡＬＣパネル１５の上端小口１５ａから図示省略のアンカー金具を埋設し、自重受け用のＡＬＣパネル取付金具１の水平部４を縦壁ＡＬＣパネル１５の上端小口１５ａに当接し、図示省略の座金を介して長孔５を通して取付ボルトでアンカー金具に螺着しておく。
次に、自重受け用のＡＬＣパネル取付金具１の垂直部３に設けた段差部６と縦壁ＡＬＣパネル１５の裏面１５ｂとの間にできる間隙１９に、固定用のＡＬＣパネル取付金具２の突起部１２を挿入し、自重受け用のＡＬＣパネル取付金具１と固定用のＡＬＣパネル取付金具２の両者を嵌合させておく。
【００１４】
次に、この下段の縦壁ＡＬＣパネル１５を図示していないクレーンなどで取付け場所に吊り込み、縦壁ＡＬＣパネル１５上端の固定用のＡＬＣパネル取付金具２の前後調整を行った後に、図６に示すように水平部８を介して建築物の躯体２５に溶接固定する。この時必要な溶接長さを確保するために、固定用のＡＬＣパネル取付金具２の水平部８の外周の他に、水平部８の開口部３８周辺も溶接をする。
次に自重受け用のＡＬＣパネル取付金具１の水平部４が所望水準になる様に微調整してから、自重受け用のＡＬＣパネル取付金具１を固定用のＡＬＣパネル取付用金具２へ溶接固着する。
【００１５】
次に、下端小口からアンカー金具を埋設し、座金を介して取付ボルトを螺着した上段の縦壁ＡＬＣパネル１６を準備しておく。この時取付ボルトは仮締めまでとしておく。
次に、図６（ａ）に示すように、この上段の縦壁ＡＬＣパネル１６をクレーンなどで吊り込み、建築物の躯体２５に溶接固定されている固定用のＡＬＣパネル取付金具２の垂直部７上部に設けられた切り欠き１１に落とし込み、縦壁ＡＬＣパネル１６の下端小口面を自重受け用のＡＬＣパネル取付金具１の水平部４に担持させ、位置を微調整した後に取付ボルト２２を本締めする。この状態で縦壁ＡＬＣパネル１５，１６は上下の取付ボルト２２，２４を支点としてロッキング状態となっている。
【００１６】
そのため耐震性に優れるとともに、縦壁ＡＬＣパネル表面に大きな負圧が作用した時にも  縦壁ＡＬＣパネル内に埋設されたアンカー金具と取付ボルトを介して建築物躯体に取り付けられているＡＬＣパネル取付金具により耐える構造となっている。また、一般的に荷重の大きな正圧に対しては、図６（ｂ）に示すように隣接するパネル両端にまたがるように、Ｌ字状の金物３９を梁上に溶接固着することで、負荷が分散されて耐えられる取付構造となっている。
【００１７】
この様にして縦壁ＡＬＣパネルを順々に吊り込み、前記固定用のＡＬＣパネル取付金具２を建築物躯体に固着していく。そして所望枚数の縦壁ＡＬＣパネルを並列して取付終了後に、隣接する各ＡＬＣパネルの表面目地部には、図６（ｂ）に示すようにシーリング材２６を充填すれば取付作業は完了する。
【図面の簡単な説明】
【００１８】
【図１】本発明の自重受け用のＡＬＣパネル取付金具の外観図である。
【図２】本発明の固定用のＡＬＣパネル取付金具の外観図である。
【図３】本発明の取付金具の組み合わせ方を説明する図である。
【図４】本発明の取付金具を組み合わせた状態を示す図である。
【図５】本発明の取付金具の縦壁ＡＬＣパネルへの取付方法を説明する斜視図である。
【図６】（ａ）本発明の取付構造を示すパネル幅中心における断面図である。       （ｂ）本発明の取付構造を示すパネル幅端部における断面図である。
【図７】従来の縦壁ＡＬＣパネルの取付構造の一部断面斜視図である。
【図８】図７の線Ａ−Ａ´に沿った断面図である。
【符号の説明】
【００１９】
１．自重受け用のＡＬＣパネル取付金具
２．固定用のＡＬＣパネル取付用金具
３．垂直部
４．水平部
５．長孔
６．段差部
７．垂直部
８．水平部
９．接続部
１１．切り欠き
１２．突起部
１５．下段の縦壁ＡＬＣパネル
１６．上段の縦壁ＡＬＣパネル
１７、１８．アンカー金具
２２、２４．取付ボルト
２５．躯体
２６．目地
３１．縦壁ＡＬＣパネル
３２．アンカー金具
３３．自重受け金具
３４．取付ボルト
３５．躯体
３６．定規アングル
３７．イナズマプレート
３８．開口部
３９．Ｌ字状の金物
【図１】
2005194731.tif 000003
【図２】
2005194731.tif 000004
【図３】
2005194731.tif 000005
【図４】
2005194731.tif 000006
【図５】
2005194731.tif 000007
【図６】
2005194731.tif 000008
【図７】
2005194731.tif 000009
【図８】
2005194731.tif 000010